(57)【要約】【課題】従来の木造住宅の布基礎や床構造は河川が氾濫し、溢れた水が住宅の床下や床上に浸入して浸水被害が起きる、床上浸水になると住宅の所有者や行政庁などに甚大な被害が出る、又水害で多くの廃棄物が排出され最悪の環境悪化につながる。【解決手段】布基礎は外周部だけにする、布基礎内側壁面に水が入らないように防湿ポリエチレンフイルムを貼り付けて、土砂や砕石などを埋め戻して機械で転圧締め固めるこの作業が建物の生命です、布基礎天端の上面に鉄筋コンクリート床盤を設けその上に防湿用の平板な断熱材と、その上に縦張りする床下地材と、その上に放熱板を取り付けた温水床暖房パネルと温水管を併設した横張り床下地材と、その上に仕上げ床材で積層されたことを特徴とする。水害時床盤以下の水量であれば浸水被害にならない、床上浸水なったとき床暖房を可動させて床板や壁を早急に乾燥させると従前の生活が営めるようになる。【選択図】図１
2007198105.tif 000002
【特許請求の範囲】
【請求項１】
木造住宅建築物の布基礎は外周部だけにする、布基礎立ち上がりの天端の上面に鉄筋コンクリート床盤を設け、該床盤の上面に防湿用の平板な断熱材と、その中に給水管や排水管を挿入して、その上に縦張りする床下地材と、その上に放熱板を取り付けた温水床暖房パネルと温水管を併設した横張り床下地材と、その上に仕上げ床材で積層され、仕上げ床材は土台や間仕切り土台の上面に釘などで固着したことを特徴とする木造住宅建築物の耐水床構造。
【発明の詳細な説明】
【技術分野】
【０００１】  本発明は特に、寒冷地地域での木造住宅建築物の耐水床構造に関する。
【背景技術】
【０００２】  日本の建築物は、建築基準法で目的が明確に示されている。建築基準法第一条には、国民の生命、健康、財産の保護を図り、公共の福祉に役立つことを目的として、建築物の敷地構造、設備及び用途についての必要最低限の基準を定めている、建築基準法施工令では木造住宅の基礎の項で床下は床下配管工事や木工事，又はその後の点検などのため床下最下面と直下の地面の間を３０センチ以上の高さの床下空間を確保することが望ましい。基礎の高さは外部地面から３０センチ以上とする、床下換気孔は布基礎壁面に５メートル以下の間隔で３００平方センチ以上の大きさの開口を設ける、基礎断熱工事をしたときは床下換気孔を設けない、コンクリート床は非構造スラブであるからワイヤーメッシュ４ミリ以上でよい、鉄筋継ぎ手長さは引張力の小さな部分は径の２５倍その他の部分は４０倍以上と記載されている。【０００３】  私たち国民は住宅を建築しようと考えたとき、第一に建築物の確認申請書を行政庁に提出して確認の許可を受けなければならない、（例外はありますが）しかしながら上記のように建築基準法施工令に明記してあると、これからも従前のような布基礎が施工される、地震が起きれば建物の倒壊などの被害が出る、台風が来れば暴風雨や豪雨で河川が氾濫し溢れた水が住宅の床下や床上に浸入して浸水被害が起きる、世界中で自然災害が多発している今日、床下換気口や通気口床下空間などなぜ必要なのか検証してみた。【０００４】  床下や床上浸水になると住宅内の家具や建具電気製品などと共に、水に冠水すると使用不可能になる自動車やオートバイ、床下換気扇やエアコンの室外機、石油、ガス、電気などを使用する温水ボイラーなど多くの廃棄物やごみが排出され、住宅の所有者や行政庁などに甚大な被害が出る、その廃棄物を処分する時最悪の環境悪化につながっている。【０００５】  床上に浸水し数時間を経て、退水後、冠水した床材や壁面の汚れを取り除き水分を拭き取って早急に乾燥させなければならないがその時、一番必要な住宅設備機器は温水床暖房である、温水床暖房設備があればその機器を可動させ床材や壁面を乾燥させる方法が一番有効と考える、床暖房も工法や材質などいろいろ有りますが、湯温が８０度ぐらいの温水を通しても半永久的に使用出来る温水管でないと本来の機能が発揮されない、本発明に関連する温水床暖房の特許文献で構造の異なる３例をあげますと、布基礎囲繞区画内の地盤に盛土しその上に、砕石を敷設しその上に防湿シートを敷きその上に発泡断熱材を敷設してその上に鉄筋コンクリート床を施工しそのコンクリート床上と布基礎上面が同じ高さにしている。【０００６】  特開平０５−１２５７６５号公報では、鉄筋コンクリート床の中心に温水管を配設してその上に仕上げ床材のマットとフロアーを敷設している、この工法では鉄筋コンクリート床全体が６０度ぐらいに暖まらないとその上の仕上げ床材のマットやフロアーを暖めてその上の室内の温度を２５度前後になるような暖房能力が必要である、特開平１１−９３３９０号公報では下層床コンクリートの上に防湿断熱材を敷設その上にワイヤーメッシュを敷きその上に温水管を配管してその上から乾燥砂を仕上げ床材の下面まで敷きこんでその上に根太を介して仕��げ床材を貼り付けている、この工法も乾燥砂の層全体を６０度以上に暖めないとその上の空気やその上の仕上げ床材も暖かくならないし、その上の室内温度を２５度ぐらいに保つにはどうするか、特開２００１−５５８２８号公報の工法では、コンクリート床の上に断熱材を敷設しその上に温水管を配管してその上から厚めのモルタルを流し込んでモルタル床を設け仕上げ床材はジュウタンとしている、この工法でも温水管の上に厚めのモルタル床がある（薄いとモルタルにクラックが入る）からその床全体が６０度以上に暖まらないと、その上の断熱効果のあるジュウタンが暖かくならないし、その上の室温を２５度ぐらいに保つためには、熱源機や循環ポンプを長時間可動する事になる室温１８度とよく言われますが、雪が舞う寒冷地地方では室温を２５度に設定していても室内に出入りする人の数により室温は変動します、寒いからといって補助暖房を使用すると、その暖房機が石油ストーブでありガスストーブであるなら火災や酸素欠乏の原因になり二次災害が起きる要因となる。【０００７】  温水管も最近はポリエチレンパイプを多用しています、上記３例は温水管をコンクリートやモルタル、乾燥砂などの中に埋め込んでいるが温水管から出る熱量をコンクリートや乾燥砂が吸収し放出して尚且つ仕上げ床材や室温などを高めるために必要なエネルギーはいくら掛かるのでしようか。又、一定期間、冷温水を通して使用しますが建物の耐用年数位は耐えないとパイプの交換時に仕上げ床材やコンクリートまで破砕しなければならない。
【特許文献１】  特開平０５−１２５７６５号公報
【特許文献２】  特開平１１−９３３９０号公報
【特許文献３】  特開２００１−５５８２８号公報
【発明の開示】
【発明が解決しようとする課題】
【０００８】  自然災害特に地震災害時、換気孔や出入り口近くで、布基礎の破断があり建物の倒壊が始まる、最近は基礎断熱工事をするようになり、その時点から換気孔や通気口がなくなる様になってきて、建物の倒壊が減少している、然し台風がきて暴風雨や豪雨になり河川が氾濫し溢れた水が住宅の床下や床上に浸入して浸水被害が起きる、又、水は、空気の出入りするところで湿気と共に出入りする、水量が多くなると水圧が加わり水はどこまでも侵入する、その後、浸水が収まって、床下の掃除をどうするか、床板を剥ぐ、きれいな水で洗う、換気孔が下まで開いていないから、残っている泥土や水も取り除かなければならず防疫のため消毒もしなければならない、床下断熱材にガラス繊維のような吸水性の高い材料を使用していて、完水すると乾かないから全部取り除かなければならない。【０００９】  床下土の上に、防湿用のシートやポリエチレンフイルム、防湿コンクリートなどを敷設していると水の捌口がないのでいつまでも水が滞留している、水抜き孔を設けていても水害時は泥土もゴミも付いてくるから水抜き孔の効果も小さい、滞留している水をいつまでも放置したり湿気の多い空気がいつまでも床下底部に滞留していると、土台や床板などが一年もたたないうちに腐ったりシロアリなどの害虫が寄生するようになるから、排水ポンプ等で早急に取り除かなければならない、本発明は自然災害の浸水被害を少しでも減少させることを目的としている。
【課題を解決するための手段】
【００１０】  本発明は、上記課題を解決するため、以下の構成を採用した、布基礎は外周部だけにする、布基礎立ち上がりの天端の上面に鉄筋コンクリート床盤を設け、該床盤の上面に、防湿用の平板な断熱材と、その中に給水管や排水管を挿入して、その上に縦張りする床下地材と、その上に放熱板を取り付けた温水床暖房パネルと、温水管を併設した横張り床下地材と、その上に仕上げ床材で積層され、仕上げ床材は土台や間仕切り土台の上面に、釘などで固着したことを特徴とする木造住宅建築物の耐水床構造である。【００１１】  布基礎上に鉄筋コンクリート床盤を設けるのは建物の荷重を鉄筋コンクリート床盤から布基礎、基礎底盤、地盤まで均等に配分する効果を得る。布基礎囲繞区画内に埋め戻す土砂や砕石は他の鉄筋に左右されず完璧な突き固めが出来強靭な砕石地盤になる、その上に床盤用の鉄筋を配筋し布基礎上に立ち上げている鉄筋も現場で折り曲げ加工して床盤用の鉄筋と結束線で緊結し砕石床盤上にコンクリートを打設、布基礎床盤一体の鉄筋コンクリート床盤が完成、外周部の鉄筋が二重になりより強靭な構造となる、その上に給水率が０に近い防湿断熱材を敷設して床盤以下の冷気や湿気を遮断する、その上に人口乾燥して含水率の小さくなった国内産の杉や桧の床下地材を後に反りが出ないように縦、横に張付ける、その上に仕上げ床材を土台や間仕切り土台の上面に張付けてバリアフリー床となる、床材も合板を使用すると経年変化などの影響で剥離の恐れがある。
【発明の効果】
【００１２】  本発明の耐水床構造により、水害時鉄筋コンクリート床盤以下の水量であれば床下に水の入る所がないので床下浸水と言う水害被害がなくなる、その上請求項１記載の床構造にすれば、床上浸水になってもアルミ製の放熱板を取り付けた温水床暖房パネルと、銅製の温水管を併設した横張り床下地材が仕上げ床材の下面に設置されているから、熱源機や循環ポンプ温水コントローラーなどが可動すれば床板も短時間で乾燥すると共に、室内の壁面や空気も早急に乾燥する、又冬期温水床暖房パネルを設置している室内に、就寝する前に洗濯して干した衣類が、熱源機や循環ポンプを停止させていても輻射熱などで翌朝には乾燥している、又、床盤上の防湿断熱材の中に給水管や排水管を敷設していれば、床盤が損壊しないかぎり住宅内の温水床暖房機器やライフラインも安全であり雪の舞う寒冷地地方では給水管の凍結破断の防止になる。【００１３】  また、建物下の地盤全体が流出しない限り建物の倒壊はないと考えている、さらに、床盤下の地盤が一部流出傾斜しても、布基礎底盤下から電動ジャッキなどで浮上させて、底盤下の地盤を補強修復すれば、建物の使用が可能となる、この床構造により強靭な基礎床盤が完成すると共に、次のような木材や電力、人体に悪影響を与える薬害も悪質リフオーム業者も一階床部分からなくなる。【００１４】  上記床構造で建築用資材及び施工費が削減できるもの、外周部の布基礎廻りの床下換気孔、その廻りの補強筋、床下換気孔にねずみ、蛇などの侵入を防ぐ防除網、外周部床下に取り付けている床下換気扇、その換気扇を動かす電力，外周部以外の布基礎、型枠材、組解体費、養生費、運搬費、火打ち土台、一階床大引き、一階床根太、床束、束石、根がらみ貫、床下防湿コンクリート、床下断熱材、基礎断熱材、木材防腐剤、防儀剤、など。
【発明を実施するための最良の形態】
【００１５】  以下本発明の実施の形態について図面に従って説明する。地盤１調査の結果を見て、地盤改良を行なう場合は特記によるが、地盤改良をしなくても良い場合には、遺形に従い正確に、根切りの幅６０センチ、深さ地面より４０センチ以上（現場の状況による）掘り下げて、その中に大きさ１０センチ前後の割栗石２を、小端立に隙間なく並べ、目潰し砂利や砕石など充填し、締め固めは振動ローラーなど機械で転圧締め固めを行い、割栗石地業の天端を均一に仕上げる。【００１６】  割栗石地業の上に鉄筋作業の精度を高めるため、厚さ３センチ以上幅５０センチの捨てコンクリート３を均一に打設、養生期間をおいて、布基礎底盤用の鉄筋を配筋する、短方向には長さ４０センチＤ１０以上の補助筋４を、２５センチ間隔に並べ、その上に主筋５Ｄ１３以上を中心に１本、両側に各１本、計３本を配し結束線で緊結する、布基礎立ち上がり部分の鉄筋６は、Ｄ１０以上とし布基礎底盤から床盤仕上げ面より８０センチ長く切断して、片方約２０センチを９０度に曲げ加工する、曲げ加工したところを、基礎底盤の中心に入っている主筋Ｄ１３以上に外側から引っ掛けるようにして、短方向Ｄ１０以上の補助筋と結束線で緊結する、床盤仕上げ面より、４センチ下と１０センテ下にＤ１３の横主筋７を２本配して、その下にある底盤用鉄筋との間にもＤ１３の主筋を１本配して、立て筋と結束線で緊結する、配筋にはコンクリートのかぶり厚さに注意し、鉄筋がコンクリートから食み出さないようにする、布基礎底盤と立ち上がり鉄筋の配筋が完了したら、基礎底盤用の型枠を組み、厚さ１５センチのコンクリート８の打ち込みを行なう。【００１７】  布基礎立ち上がり型枠の外側部分は床盤仕上げ面まで立ち上げ、内側部分は床盤下までに止める、型枠の組み込みが終わると布基礎立ち上がり部分、幅１５センチのコンクリート９を床盤下まで打設する、コンクリート打ち込み後、養生期間５日間が経過したら内側の型枠を取り除き、代わりに防湿ポリエチレンフイルムを貼り付けて、地盤面から床盤下まで水が入らないように土砂や砕石などで埋め戻し地業１０を行なう、その際、埋め戻し厚さ２０センチごとに、振動ローラーなどの機械で布基礎上面まで完結に転圧締め固めながら均一に仕上げる、この作業が建物の生命です。【００１８】  均一にした埋め戻し地業の上に、防湿ポリエチレンフイルム１１を布基礎内側まで敷き詰める、その上に床盤用鉄筋Ｄ１３以上を縦、横、２５センチ間隔で配筋するが、その前に床盤用鉄筋１２の片方の端を５センチほど９０度に折り曲げ加工して、布基礎上に取り付けているＤ１３の鉄筋７に、折り曲げ加工したところを、上から引っ掛けるように配置して結束線で緊結する、次に布基礎上に立ち上げている６０センチほどの立て筋６も、内側に９０度折り曲げ加工して、コンクリートのかぶり厚さを計りながら、床盤上の鉄筋７１２と結束線で緊結する、この工法により外周部の布基礎床盤周りが二重鉄筋となり強靭な床構造となる、同時にアンカーボルト２０も床盤上の鉄筋に正確な位置で溶接して取り付ける、配筋の際防湿ポリエチレンフイルム１１を、誤って破損したときは直ちに補修する、床盤１３のコンクリート厚さ１５センチ打ち込みをするが、均一���しなければならない仕上げ面は、１メートルに３ミリ以上の傾斜があると、瑕疵担保責任が問われるので、最善の注意が必要となる。【００１９】  上記、鉄筋コンクリート床盤が完成したら、その上に桧材の土台、間仕切り土台１９を敷設し、床盤１３から立ち上げているアンカーボルト２０で緊結する、土台の内側には防湿用の平板な断熱材１４を敷設、寒冷地ではその中に給水管や排水管１５を挿入して、冬期凍結破断の防止に役立てる、その上に縦張りする床下地材１６と、その上に放熱板を取り付けた温水床暖房パネルと温水管を併設した横張り床下地材１７と、その上に桧の仕上げ床材２０で積層され、仕上げ床材は土台や間仕切り土台の上面に釘などで固着したことを特徴とする強靭な耐水床構造が完成する。本発明は建築基準法第一条の目的である国民の生命、健康、財産、の保護を図り、公共の福祉に役立つことを目的として特に寒冷地地方の浸水被害に対し安心、安全な住宅空間を提供するものである。
【実施例】
【００２０】  以下本発明に係る耐水床構造の実施例を、図面に従って説明する、布基礎９は外周部だけにする布基礎内側の壁面には水が入らないよう防湿ポリエチレンフイルム１１を貼り付け、その中に土砂や砕石１０などを埋め戻して、埋め戻し材厚さ２０センチ毎に振動ローラーなど機械で転圧して布基礎上面まで完結に締め固める、この作業が建物の生命です、その上に防湿ポリエチレンフイルム１１を敷設してその上に布基礎天端９の上面に掛けて厚さ１５センチ以上のコンクリートを打ち込み鉄筋コンクリート床盤１３を設ける、その上に土台や間仕切り土台１９を敷設し鉄筋コンクリート床盤１３から立ち上げているアンカーボルト２０で緊結する、土台や間仕切り土台の間に防湿用の平板な断熱材１４とその中に給水管や排水管１５を挿入して冬期凍結破断の防止に役立てる。【００２１】  その上に縦張りする床下地材１６と、その上にアルミ製の放熱板を取り付けた温水床暖房パネルと、銅製の温水管を併設した横張り床下地材１７と、その上に仕上げ床材１８で積層され、仕上げ床材は土台や間仕切り土台１９の上面に釘などで固着することを特徴としている。床暖房には温水管に沿って熱を発散させ仕上げ床材を満遍なく暖めるように、放熱板を取り付け熱効率を良くしなければならない、温水管も半永久的に使用できる材質、鋼製（ステンレス）などを使用したい、又、床暖房を利用しているときは温水管を通る水や温水により常に管が伸縮しています、継ぎ手も配管の長さも土砂やコンクリートに埋め込む場合も、材質の劣化も考慮しながら配管しないとトラブルの原因になる、トラブルを未然に防ぐためにも配管の継ぎ手はメンテナンスできる場所に設けることが望ましい。
【図面の簡単な説明】
【図１】  本発明の実施の形態における耐水床構造の１部切り欠き斜視図である。
【図２】  図１に示す鉄筋の配筋及び床暖房パネル、給水管等の拡大断面図である。
【図３】  特開平０５−１２５７６５号公報の断面図である。
【図４】  特開平１１−９３３９０号公報の断面図である。
【図５】  特開２００１−５５８２８号公報の断面図である。
【符号の説明】
１．地盤
２．割栗石地業
３．捨てコンクリート
４．底盤鉄筋（短）
５．底盤鉄筋（長）
６．布基礎たて折り曲げ筋
７．布基礎横鉄筋
８．基礎底盤コンクリート
９．布基礎コンクリート
１０．埋め戻し砕石地業
１１．防湿ポリエチレンフイルム
１２．床盤縦、横鉄筋
１３．鉄筋コンクリート床盤
１４．防湿断熱材
１５．給水管、排水管
１６．縦張り床下地材
１７．アルミ放熱板付き温水床暖房パネルと銅製温水管併設横張り床下地材
１８．仕上げ床材（フローリング）
１９．土台、間仕切り土台
２０．アンカーボルト、ナット
２１．柱
２２．防湿シート
２３．床鉄筋
２４．コンクリート床、モルタル床
２５．乾燥砂
２６．空気層
２７．床根太
２８．温水管
２９．ジュウタン、マット
【図１】
2007198105.tif 000003
【図２】
2007198105.tif 000004
【図３】
2007198105.tif 000005
【図４】
2007198105.tif 000006
【図５】
2007198105.tif 000007
【手続補正書】
【提出日】平成19年5月1日(2007.5.1)
【手続補正１】
【補正対象書類名】特許請求の範囲
【補正対象項目名】全文
【補正方法】変更
【補正の内容】
【特許請求の範囲】
【請求項１】
木造住宅建築物の布基礎は外周部だけにする、布基礎立ち上がりの内側壁面に防湿フイルムを貼り付けてから、土砂などを布基礎上面まで埋め戻し、その上に防湿フイルムを全面に敷設して布基礎天端の上面に鉄筋コンクリート床盤を設け、該床盤の上面に防湿用の平板な断熱材と、その中に給水管や排水管を挿入して、その上に縦張りする床下地材と、その上に放熱板を取り付けた温水床暖房パネルと温水管併設横張り床下地材と、その上に仕上げ床材で積層され、仕上げ床材は土台や間仕切り土台の上面に釘などで固着したことを特徴とする、木造住宅建築物の耐水床構造。
【手続補正２】
【補正対象書類名】明細書
【補正対象項目名】全文
【補正方法】変更
【補正の内容】
【発明の詳細な説明】
【技術分野】
【０００１】  本発明は特に、寒冷地地域での木造住宅建築物の耐水床構造に関する。
【背景技術】
【０００２】  日本の建築物は、建築基準法で目的が明確に示されている。建築基準法第１条には、国民の生命、健康、財産の保護を図り、公共の福祉に役立つことを目的として、建築物の敷地、構造、設備及び用途についての必要最低限の基準を定めている、建築基準法施工令では木造住宅の基礎の項で床下は床下配管工事や木工事、又はその後の点検などのため床下最下面と直下の地面の間を３０センチ以上の高さの床下空間を確保することが望ましい、基礎の高さは外部地面から３０センチ以上とする、床下換気孔は布基礎壁面に５メートル以下の間隔で３００平方センチ以上の大きさの開口を設ける、基礎断熱工事をしたときは床下換気孔を設けない、コンクリート床は非構造スラブであるからワイヤーメッシュ４ミリ以上でよい、鉄筋継手長さは引張力の小さな部分は径の２５倍その他の部分は４０倍以上と記載されている。【０００３】  私たち国民は住宅を建築しようと考えたとき、第１に建築物の確認申請書を行政庁に提出して確認の許可を受けなければならない、（例外はありますが）しかしながら上記のように建築基準法施工令に明記してあると、これからも従前のような布基礎が施工される、地震が起きれば建物の倒壊などの被害がでる、台風が来れば暴風雨や豪雨で河川が氾濫し溢れた水が住宅の床下や床上に浸入して浸水被害が起きる、自然災害が多発している今日、床下換気孔や通気口、床下空間などなぜ必要なのか検証してみた。従来の床構造技術としては、以下の３例などがある（例えば、特許文献１〜３参照。）。
【特許文献１】  特開平０５−１２５７６５号公報
【特許文献２】  特開平１１−９３３９０号公報
【特許文献３】  特開２００１−５５８２８号公報
【発明の開示】
【発明が解決しようとする課題】
【０００４】  自然災害特に地震災害時、換気孔や出入り口近くで、布基礎の破断があり建物の倒壊が始まる、最近は基礎断熱工事をするようになり、その時点から換気孔がなくなるようになってきて、建物の倒壊が減少している、然し台風がきて暴風雨や豪雨になり河川が氾濫し溢れた水が住宅の床下や床上に浸入して浸水被害が起きる、又、水は空気の出入りするところで湿気と共に出入する、水量が多くなると水圧が加わり水はどこまでも浸入する、その後、浸水が収まって、床下の掃除をどうするか、床板を剥ぐ、きれいな水で洗う、換気孔が下まで開いていないから、残っている泥土や水も取り除かなければならず防疫のため消毒もしなければならない、床下断熱材にガラス繊維のような吸水性の高い材料を使用していて冠水するとガラス繊維自体は吸水しないが、製品が綿様で毛細管現象を起こして含水し、長期にわたって水が切れないから、湿気が周辺の木材などの腐食を誘う。【０００５】  床下土の上に、防湿用のシートや防湿コンクリートなどを設けていると水の捌口がないのでいつまでも水が滞留している、水抜き穴を設けていても水害時は泥土もゴミも付いてくるから水抜き穴の効果も小さい、滞留している水をいつまでも放置したり湿気の多い空気がいつまでも床下底部に滞留していると、土台や床板など１年も経たないうちに腐ったりシロアリなどの害虫が寄生するようになるから、排水ポンプ等で早急に取り除かなければならない、本発明は自然災害の浸水被害を少しでも減少させることを目的としている。
【課題を解決するための手段】
【０００６】本発明は、上記課題を解決するため以下の構成を採用した、布基礎は外周部だけにする、布基礎立ち上がりの内側壁面に防湿フイルムを貼り付けてから、内側の地盤上に土砂などを埋め戻し、その上に防湿フイルムを全面に敷設して、布基礎天端の上面に鉄筋コンクリート床盤を設け、該床盤の上面に防湿用の平板な断熱材と、その中に給水管や排水管などを挿入して、その上に縦張りする床下地材と、その上に放熱板を取り付けた温水床暖房パネルと温水管を併設した横張り床下地材と、その上に仕上げ床材で積層され、仕上げ床材は土台や間仕切り土台の上面に釘などで固着する。
【発明の効果】
【０００７】  本発明の耐水床構造では、布基礎内側壁面と埋め戻し土砂の上に防湿フイルムを敷設して布基礎天端の上面にコンクリートを打設、鉄筋コンクリート床盤を設ける、鉄筋コンクリート内には、空気も湿気も水も入らない構造となり床盤上以下の水量であれば水の被害はなく、床上浸水でも浸入した水の水量がなくなる少し前に、掃除具などで床上を清掃し温水床暖房機器を稼働させれば床板やカーペットなどの仕上げ床材も短時間で乾燥し、室内の壁面や空気も乾燥して従前の生活が営めるようになる、【０００８】  床盤上の防湿断熱材の中に給水管などを挿入していれば、鉄筋コンクリート床盤が損壊しない限り住宅内の温水床暖房機器やライフラインも安全であり雪の舞う寒冷地地方では給水管の凍結破断防止になる、建物下の布基礎床盤周りの鉄筋が２重鉄筋となり、籠を伏せたような形状でより強靭な鉄筋コンクリート造となるため、床盤下の地盤も流出し難く、１部流出傾斜しても布基礎底盤下から電動ジャッキなどで浮上させて、底盤下の地盤を修復補強すれば建物の使用が可能となる、その上高潮や小さな津波などでは、床下に水が入らないため建物の基礎床盤に浮力が付かないから船のアンカーのような効果となり建物が水害にあって移動したり倒壊することも無く安定していると考えている。【０００９】  この強靭な基礎床盤が完成すると次のような建築用資材及び施工費が削減できる、建物の弱点である外周部布基礎廻りの床下換気孔、床下通気口、その廻りの補強筋、床下換気孔にねずみ、蛇などの侵入を防ぐ防除網、外周部床下に取り付けている床下換気扇、その換気扇を動かす電力、外周部以外の布基礎、型枠材、型枠材の組解体費、土砂の搬出、搬入費、養生費、火打土台、１階床大引、１階床根太、床束、束石、根がらみ貫、床下防湿コンクリート、床下断熱材、基礎断熱材、木材防腐剤、薬害を伴うシロアリ用の防儀剤、悪質リフオーム業者も１階床部分から一掃できる。
【発明を実施するための最良の形態】
【００１０】  以下本発明の実施の形態について図面に従って説明する。地盤１調査の結果を見て、地盤改良を行なう場合は特記によるが、地盤改良をしなくても良い場合は、遣形に従い正確に根切りの幅６０センチ、深さ地面より４０センチ以上（現場の状況による）掘り下げて、その中に大きさ１０センチ前後の割栗石２を、小端立に隙間なく並べ、目潰し砂利や砕石など充填し、締め固めは振動ローラーなど機械で転圧締め固めを行い、割栗石地業の天端を均一に仕上げる。【００１１】  割栗石地業の上に鉄筋作業の精度を高めるため、厚さ３センチ以上幅５０センチほどの捨てコンクリート３を均一に打設、養生期間を置いて、布基礎底盤用の鉄筋を配筋する、短方向には長さ４０センチＤ１０以上の補助筋４を、２５センチ間隔に並べ、その上に主筋５、Ｄ１３以上を中心に１本、両側に各１本、計３本を配し結束線で緊結する、布基礎立ち上り部分の鉄筋６は、Ｄ１０以上とし布基礎底盤から床盤仕上げ面より８０センチ程長く切断し、片方約２０センチ程を９０度に折り曲げ加工する、折り曲げ加工したところを、基礎底盤の中心に入っている主筋Ｄ１３以上に外側から引っ掛けるようにして、短方向Ｄ１０以上の補助金と結束線で緊結する、床盤仕上げ面より、４センチ下と１０センチ下にＤ１３の横主筋７を２本配して、その下にある底盤用鉄筋との間にもＤ１３の主筋を１本配して、縦筋と結束線で緊結する、配筋にはコンクリートのかぶり厚さに注意し、鉄筋がコンクリートから食み出さないようにする。【００１２】  布基礎底盤と立上り鉄筋の配筋が完了したら、基礎底盤用の型枠を組み、厚さ１５センチのコンクリート８の打ち込みを行なう、布基礎立上り型枠の外側部分は床盤仕上面まで立上げ内側部分は床盤下までに止める、型枠の組み込みが終わると布基礎立上り部分、幅１５センチのコンクリート９を床盤下まで打設する、コンクリート打ち込み後、養生期間が経過したら内側の型枠を取り除き、代わりに防湿フイルムを布基礎立上りの壁面に貼り付けて、地盤面から床盤下まで水が浸入しないよう土砂やなどで埋め戻し地業１０を行なう、その際、埋め戻し厚さ２０センチごとに、振動ローラーなどの機械で布基礎上面まで完結に転圧締め固めながら均一に仕上げる、この作業が建物の生命です。【００１３】  均一にした埋め戻し地業の上に、防湿フイルム１１を布基礎内側まで敷設して、その上に床盤用鉄筋Ｄ１３以上を縦、横、２５センチ間隔で配筋するが、その前に床盤用鉄筋１２の片方の端を５センチほど９０度に折り曲げ加工して、布基礎上に取り付けているＤ１３の鉄筋７に、折り曲げ加工したところを，上から引っ掛けるように配置して結束線で緊結する、次に布基礎上面に立ち上げている６０センチほどの長さの縦筋６も、布基礎内側に９０度折り曲げ加工して、コンクリートのかぶり厚さを計りながら、床盤上の鉄筋７や１２と結束線で緊結する、この構造により外周部の布基礎床盤廻りが二重鉄筋となり強靭な床構造と成る、同時にアンカーボルト２０も床盤上の鉄筋に正確な位置で溶接して取り付ける、配筋の際防湿フイルム１１を、誤って破損したときは直ちに補修する、床盤１３のコンクリート厚さは１５センチ以上の打ち込みをするが、均一にしなければなら���い仕上げ面は１メートルに３ミリ以上の傾斜があると、瑕疵担保責任が問われるので、最善の注意が必要となる。【００１４】  上記、鉄筋コンクリート床盤が完成したら、その上に土台、間仕切り土台１９を敷設し、床盤１３から立ち上げているアンカーボルト２０で結合する、土台の内側には防湿用の平板な断熱材１４を敷設、寒冷地ではその中に給水管１５などを挿入して、冬期の凍結破断を防止する、その上に縦張りする床下地材１６と、その上に放熱板を取り付けた温水床暖房パネルと温水管を併設した横張床下地材１７と、その上に仕上げ床材１８で積層され、仕上げ床材は土台や間仕切り土台の上面に釘などで固着したことを特徴とする強靭な耐水床構造が完成する、本発明は建築基準法第一条の目的である国民の生命、健康、財産の保護を図り、公共の福祉に役立つことを目的として特に雪の降り積もる寒冷地地方の結露  浸水被害に対し安全、安心な住宅空間を提供するものである。
【実施例】
【００１５】  布基礎は外周部だけにする、布基礎立ち上がりの壁面に防湿フイルムを貼り付け、その地盤上に土砂など埋め戻して、埋め戻し材、厚さ２０センチ毎に振動ローラーなど機械で布基礎上面まで完結に締め固める、この作業が建物の生命です、布基礎天端の縦筋を９０度内側に折り曲げ加工して、床盤鉄筋やアンカーボルトと共に組み込み結合するのは、床盤が完成後破壊されない限り離れない鉄筋構造となる、その上で厚さ１５センチ以上のコンクリートを打設、鉄筋と一体のコンクリート床盤を完成させる、その上に土台や間仕切り土台を敷設し鉄筋コンクリート床盤から立ち上げているアンカーボルトで結合する。【００１６】  その中に防湿断熱材を敷設してその上に縦張りする床下地材と、その上に放熱板を取り付けた温水床暖房パネルと温水管を併設した横張り床下地材と、その上に仕上げ床材で積層され、仕上げ床材は土台や間仕切土台の上面に釘などで固着することを特徴とする、温水管も劣化しにくく熱伝導率の高い半永久的に使用できる材質を使用したい、床暖房を使用している時は温水管を通る温水により常に管が伸縮している、継手も配管の長さも土砂やコンクリートに埋め込む場合も材質の劣化も考慮しながら配管しないと必ずトラブルの原因になる、トラブルを未然に防ぐためにも配管の継手はメンテナンスできる場所に設けることが望ましい。
【図面の簡単な説明】
【００１７】
【図１】本発明の実施の形態における耐水床構造の１部切り欠き斜視図である。
【図２】図１に示す鉄筋の配筋及び床暖房パネル、給水管などの拡大断面図である。
【図３】特開平０５−１２５７６５号公報の断面図である。
【図４】特開平１１−９３３９０号公報の断面図である。
【図５】特開２００１−５５８２８号公報の断面図である。
【符号の説明】
【００１８】１、  地盤、
２、  割栗石地業、
３、  捨コンクリート、
４、  底盤鉄筋（短）、Ｄ＝１０
５、  底盤鉄筋（長）、Ｄ＝１３
６、  布基礎たて折り曲げ筋、Ｄ＝１０
７、  布基礎横鉄筋、Ｄ＝１３
８、  基礎底盤コンクリート、
９、  基礎コンクリート、１０埋め戻し土砂や砕石地業、
１０、埋め戻し砕石地業、
１１、防湿フイルム
１２、床盤縦、横鉄筋
１３、鉄筋コンクリート床盤
１４、防湿断熱材、
１５、給水管、排水管、
１６、縦張り床下地材、
１７、アルミ放熱板付き温水床暖房パネルと銅製温水管併設横張床下地材、
１８、仕上げ床材（フリーリング）
１９、土台、間仕切り土台、
２０、アンカーボルト、ナッツト、
２１、柱、
２２、防湿シート、
２３、床鉄筋、
２４、コンクリート床、モルタル床、
２５、乾燥砂、
２６、空気層、
２７、床根太、
２８、温水管、
２９、ジュウタン、マット、